(57)【要約】 【課題】制御盤内の配線を簡素化すると同時に、リレーの端子部をそのまま制御盤からの入出力端子に置き換えることができるリレーユニットを提供する。【解決手段】所定の制御盤の中に配備される、リレーを有するリレーユニット１，１Ａ，１Ｂ，２，２Ａ，３は、制御盤の外部に配線される電線を接続するための盤外配線用端子部１２０と、制御盤の内部だけで配線される電線を接続するための盤内配線用端子部１１０と、盤外配線用端子部１２０と盤内配線用端子部１１０との間に位置し、リレーを有するリレー部２０とから成り、リレー部２０は、盤外配線用端子部１２０および盤内配線用端子部１１０と一体に成型されたものであり、リレーは、リレー部２０に形成されるとともに盤外配線用端子部１２０および盤内配線用端子部１１０との間に内部配線されている。【選択図】図１
2011150988.tif 000002
【特許請求の範囲】
【請求項１】
所定の制御盤の中に配備される、リレーを有するリレーユニットであって、
前記制御盤の外部に配線される電線を接続するための盤外配線用端子部と、
前記制御盤の内部だけで配線される電線を接続するための盤内配線用端子部と、
前記盤外配線用端子部と盤内配線用端子部との間に位置し、前記リレーを有するリレー部とから成り、
前記リレー部は、前記盤外配線用端子部および盤内配線用端子部と一体に成型されたものであり、
前記リレーは、前記リレー部に形成されるとともに前記盤外配線用端子部および盤内配線用端子部との間に内部配線されていることを特徴とするリレーユニット。
【請求項２】
所定の制御盤の中に配備される、リレーを有するリレーユニットであって、
前記制御盤の外部に配線される電線を接続するための盤外配線用端子部と、
前記制御盤の内部だけで配線される電線を接続するための盤内配線用端子部と、
前記盤外配線用端子部と盤内配線用端子部との間に位置し、前記リレーを有するリレー部とから成り、
前記リレー部は、前記盤外配線用端子部および盤内配線用端子部と一体に成型されたものであり、
前記リレーは、前記リレー部とは別体のリレーを前記リレー部に固定されているとともに前記盤外配線用端子部および盤内配線用端子部との間に内部配線されていることを特徴とするリレーユニット。
【請求項３】
前記盤外配線用端子部の近傍に端子銘板部を具備することを特徴とする請求項１または請求項２に記載のリレーユニット。
【請求項４】
前記盤内配線用端子部は４つの端子を有し、
前記盤外配線用端子部は２つ又は３つの端子を有し、
前記盤内配線用端子部の２つの端子に入力信号によって動作するリレーのａ接点を接続し、
前記盤内配線用端子部のうち１つの端子を前記盤外配線用端子部の１つの端子に接続し、
前記盤内配線用端子部の残りの１つの端子にリレーの動作コイルを接続し、
前記盤外配線用端子部の残りの１つの端子を前記動作コイルに接続して、入力用リレーとして機能するように内部配線したことを特徴とする請求項１，２または３に記載のリレーユニット。
【請求項５】
前記盤内配線用端子部は４つの端子を有し、
前記盤外配線用端子部は２つ又は３つの端子を有し、
前記盤内配線用端子部の２つの端子にリレーの動作コイルを接続し、
前記盤内配線用端子部のうち残りの１つの端子を前記盤外配線用端子部の１つの端子に接続し、
前記盤内配線用端子部のうち残った１つの端子を出力信号用リレーの接点の一方に接続し、出力信号用リレーの接点のもう一方を前記盤外配線用端子部のうち残りの１つの端子に接続して、出力用リレーとして機能するように内部配線したことを特徴とする請求項１，２または３に記載のリレーユニット。
【請求項６】
前記盤内配線用端子部は４つの端子を有し、
前記盤外配線用端子部は３つの端子を有し、
前記盤内配線用端子部の２つの端子にリレーの動作コイルを接続し、
前記盤内配線用端子部のうち残りの１つの端子を前記盤外配線用端子部の１つの端子に接続し、
前記盤内配線用端子部のうち残った１つの端子に出力信号用リレーのｃ接点を接続し、
前記盤外配線用端子部のうち残った２つの端子の一方にａ接点を接続し、もう一方の端子にｂ接点を接続して、出力用リレーとして機能するように内部配線したことを特徴とする請求項１，２または３に記載のリレーユニット。
【発明の詳細な説明】
【技術分野】
【０００１】
本発明は、所定の制御盤の中に配備される、リレーを有するリレーユニットに関する。
【背景技術】
【０００２】
各種消費財・生産財などを生産する工場においては、多くの装置を動かすための制御盤が設置されている。制御盤には、プログラマブルコントローラ（シーケンサとも呼ばれる。）が多数用いられて制御の高度化、配線の合理化、省スペース化、省力化、高速化等が図られている。
【０００３】
制御盤は、必要な入力に対してプログラマブルコントローラで計算あるいは演算した結果を、各種の電圧、電流、接点、アナログ信号、ディジタル信号、などの形で外部の装置へ出力するようになっている。プログラマブルコントローラの入出力は、直接外部の装置へ入出力するものと、一旦、リレーを介して入出力するものがある。
【０００４】
現在、市場で使用されているプログラマブルコントローラからの信号の出力形態は、交流電圧電流によるもの、直流電圧電流によるもの、接点信号によるものおよび各種出力で出力容量の増大されたもの等がある。また共通線の形態は、一方の配線が所定のグループごとに共通になっているものと、全ての配線が独立になっているものとがある。プログラマブルコントローラへの信号の入力形態は、そのほとんどが一方の配線を共通配線とした接点入力を基本としている。また取り扱う電圧は直流２４Ｖ（ボルト）あるいは交流１００ｖが多い。
【０００５】
特定する機械装置あるいは小型の装置にあっては、プログラマブルコントローラへの入出力の形態を選択することでプログラマブルコントローラからこれらの装置を直接制御することが可能である。しかしながら、大型の機械装置や、複数の機械装置を取り扱うプログラマブルコントローラにあっては、電圧の回り込みや、制御配線が長くなることによる誘導電圧や誤配線などから、プログラマブルコントローラを保護する必要がある。このため、一旦リレーで受けてからプログラマブルコントローラに入力を行うとともに、出力にあってはプログラマブルコントローラからの出力を十分な容量接点をもつリレーで受けて接点出力するようになっている。
【０００６】
また年々高速化、小型化されるプログラマブルコントローラにあって、制御盤設計者あるいは機械装置設計者が必要とするすべて内容の入出力をプログラマブルコントローラに要求するのが困難であることから、リレーを介して入出力することに多くの利点が認められる。
【０００７】
このような制御盤に使用されるリレーであって、ミニチュアリレーと称される小型のリレーには、リレー部とソケット部により構成されているものがあり、接点容量は３〜７Ａ以下のものが多い。  
【０００８】
小型のリレーは、プログラマブルコントローラからの微弱な出力により動作させて、電磁接触器、電磁開閉器などの動作に必要な出力容量に増大すると同時に、プログラマブルコントローラと外部回路を絶縁する機能を有している。また、小型リレーは、１〜１２点程の接点を有しているが、多くの一般的な小型リレーは２〜４接点が使用されている。このように一般的な小型リレーにあっては、１つのリレーの動作により２〜４つの接点出力を得て制御回路を構成することができる。このように小型リレーは、接点容量増大と回路絶縁と接点数増加等の３つの主な機能を有している。
【０００９】
リレー部とソケット部とから構成される小型リレーでは、リレー部は、絶縁体を貫通した金属部の一方を出力電極とし、反対側にリレーを組み込んである。一方、ソケット部は、成型された絶縁体上にリレーの出力電極に接する受け電極を配置してあり、受け電極から絶縁体上の２箇所に配置されたほぼ同数の端子に配線がされている。
【００１０】
一般的な小型リレーの接点容量と回路絶縁の実際の配線では複数パターンの配線の形態があって、入出力端子が入り混じり、配線が複雑化している。  
また、回路構成後の配線検査、通電検査、現地での試運転、納入後のトラブル検査においては、複雑化されている配線のために多くの時間が必要とされている。  
リレー部をソケット部に装着する構成を有する小型リレーの例として、本願の発明者が特許文献１の中で開示したものがある。この特許文献１には、ソケット部にリレー部を着脱可能に装着するものが開示されている。  
【先行技術文献】
【特許文献】
【００１１】
【特許文献１】特開２００１−２０４１１０号公報
【発明の概要】
【発明が解決しようとする課題】
【００１２】
しかしながら、この開示された技術においては、リレーを装着するためのソケット部の製作工程が必要であるので、この工程を省略することができればそれだけ経済効果がある。
【００１３】
本発明は、現在使用されている数パターンの回路機能をリレー部からの配線をリレーの端子部上にパターン化して配線して、回路機能を持たせることによって、制御盤内の配線を簡素化すると同時に、リレーの端子部をそのまま制御盤からの入出力端子に置き換えることができるリレーユニットを提供することを目的としている。
【課題を解決するための手段】
【００１４】
かかる目的を達成するための本発明の要旨とするところは、次の各項の発明に存する。  
［１］所定の制御盤の中に配備される、リレーを有するリレーユニット（１，１Ａ，１Ｂ，２，２Ａ，３）であって、
前記制御盤の外部に配線される電線を接続するための盤外配線用端子部（１２０）と、
前記制御盤の内部だけで配線される電線を接続するための盤内配線用端子部（１１０）と、
前記盤外配線用端子部（１２０）と盤内配線用端子部（１１０）との間に位置し、前記リレーを有するリレー部（２０）とから成り、
前記リレー部（２０）は、前記盤外配線用端子部（１２０）および盤内配線用端子部（１１０）と一体に成型されたものであり、
前記リレーは、前記リレー部（２０）に形成されるとともに前記盤外配線用端子部（１２０）および盤内配線用端子部（１１０）との間に内部配線されていることを特徴とするリレーユニット（１，１Ａ，１Ｂ，２，２Ａ，３）。
【００１５】
［２］所定の制御盤の中に配備される、リレーを有するリレーユニット（１，１Ａ，１Ｂ，２，２Ａ，３）であって、
前記制御盤の外部に配線される電線を接続するための盤外配線用端子部（１２０）と、
前記制御盤の内部だけで配線される電線を接続するための盤内配線用端子部（１１０）と、
前記盤外配線用端子部（１２０）と盤内配線用端子部（１１０）との間に位置し、前記リレーを有するリレー部（２０）とから成り、
前記リレー部（２０）は、前記盤外配線用端子部（１２０）および盤内配線用端子部（１１０）と一体に成型されたものであり、
前記リレーは、前記リレー部（２０）とは別体のリレー（２１）を前記リレー部（２０）に固定されているとともに前記盤外配線用端子部（１２０）および盤内配線用端子部（１１０）との間に内部配線されていることを特徴とするリレーユニット（１，１Ａ，１Ｂ，２，２Ａ，３）。
【００１６】
［３］前記盤外配線用端子部（１２０）の近傍に端子銘板部（３０）を具備することを特徴とする項［１］または［２］に記載のリレーユニット（１，１Ａ，１Ｂ，２，２Ａ，３）。
【００１７】
［４］前記盤内配線用端子部（１１０）は４つの端子を有し、
前記盤外配線用端子部（１２０）は２つ又は３つの端子を有し、
前記盤内配線用端子部（１１０）の２つの端子に入力信号によって動作するリレーのａ接点を接続し、
前記盤内配線用端子部（１１０）のうち１つの端子を前記盤外配線用端子部（１２０）の１つの端子に接続し、
前記盤内配線用端子部（１１０）の残りの１つの端子にリレーの動作コイル（Ｒ）を接続し、
前記盤外配線用端子部（１２０）の残りの１つの端子を前記動作コイル（Ｒ）に接続して、入力用リレーとして機能するように内部配線したことを特徴とする項［１］，［２］または［３］に記載のリレーユニット（１，１Ａ，３）。
【００１８】
［５］前記盤内配線用端子部（１１０）は４つの端子を有し、
前記盤外配線用端子部（１２０）は２つ又は３つの端子を有し、
前記盤内配線用端子部（１１０）の２つの端子にリレーの動作コイル（Ｒ）を接続し、
前記盤内配線用端子部（１１０）のうち残りの１つの端子を前記盤外配線用端子部（１２０）の１つの端子に接続し、
前記盤内配線用端子部（１１０）のうち残った１つの端子を出力信号用リレーの接点の一方に接続し、出力信号用リレーの接点のもう一方を前記盤外配線用端子部（１２０）のうち残りの１つの端子に接続して、出力用リレーとして機能するように内部配線したことを特徴とする項［１］，［２］または［３］に記載のリレーユニット（１，１Ｂ，２，２Ａ，３）。
【００１９】
［６］前記盤内配線用端子部（１１０）は４つの端子を有し、
前記盤外配線用端子部（１２０）は３つの端子を有し、
前記盤内配線用端子部（１１０）の２つの端子にリレーの動作コイル（Ｒ）を接続し、
前記盤内配線用端子部（１１０）のうち残りの１つの端子を前記盤外配線用端子部（１２０）の１つの端子に接続し、
前記盤内配線用端子部（１１０）のうち残った１つの端子に出力信号用リレーのｃ接点を接続し、
前記盤外配線用端子部（１２０）のうち残った２つの端子の一方にａ接点を接続し、もう一方の端子にｂ接点を接続して、出力用リレーとして機能するように内部配線したことを特徴とする項［１］，［２］または［３］に記載のリレーユニット（２，２Ａ，３）。
【００２０】
前記本発明は次のように作用する。  
制御盤の外部に配線される電線を接続するための盤外配線用端子部（１２０）と、制御盤の内部だけで配線される電線を接続するための盤内配線用端子部（１１０）との間にリレー部（２０）を配置してあるので、盤内配線用端子部（１１０）と盤外配線用端子部（１２０）とが分離して配置されており、盤内配線用端子部（１１０）と盤外配線用端子部（１２０）が近傍で混在することがない。これにより、外部配線を接続するための端子としてリレーユニット（１，１Ｂ，２，２Ａ，３）の端子部をそのまま直接利用することができ、端子台、およびリレーと端子台との間の配線を省略することができ、制御盤の小型化および配線工数の削減を図ることができる。
【００２１】
また、リレーが形成されたリレー部（２０）が盤内配線用端子部（１１０）および盤外配線用端子部（１２０）と一体に成型されているか、リレー部（２０）にリレー（２１）が固定されて一体と成っているので、リレーを着脱可能な構成のソケット部を製造する製造工程を省略することができ、また、構成も簡易になるので、高い経済効果が得られる。
【００２２】
盤外配線用端子部（１２０）の近傍に端子銘板部（３０）を具備したものでは、各端子に接続すべき配線の区別を明確化することができる。また、盤外配線用端子部（１２０）およびまたは盤内配線用端子部（１１０）を覆う端子カバー（４０）を着脱可能に装着することにより、誤接触を防止することができる。
【００２３】
また、入力用リレーや出力用リレー等として機能するように内部配線したことにより、盤内配線が簡素化され又リレーの端子部から直接に盤外配線ができることから、ダクト、端子台、及び配線数が削減されて省資源化、省スペース化、省力化が実現できて経済効果が大きいものとなる。
【発明の効果】
【００２４】
本発明にかかるリレーユニットによれば、リレーの製作工程においては、ソケット部の製作工程が大きく省略されるので経済効果がある。また、配線数が削減できて、配線工数の削減ができる。また、配線作業において、リレーの端子の機能が固定化されているので、作業者は、一度パターンを記憶すれば格段に配線効率を上げることができる。また、配線ダクトと端子台の省略により制御盤を小型化することができる。さらに、制御盤の小型化ができ、配線ダクトや端子台の省略による部品の削減ができ、配線工数の削減ができるので大きな経済効果がある。また、制御盤の据付後、盤外配線とリレーが直近にあるので、リレーの動作ランプにより信号の有無の確認が容易となる。
【図面の簡単な説明】
【００２５】
【図１】本発明の一実施の形態に係るリレーユニットを示す側面図ある。
【図２】本発明の一実施の形態に係るリレーユニットを示す平面図である。
【図３】本発明の一実施の形態に係るリレーユニットの一例を示す平面図である。
【図４】本発明の一実施の形態に係るリレーユニットの別の例を示す平面図である。
【図５】（ａ）は、図３のリレーユニットタイプの入力用リレーユニットの内部配線を示す説明図であり、（ｂ）は、図３のリレーユニットタイプの出力用リレーユニットの内部配線を示す説明図であり、（ｃ）は、図４のリレーユニットタイプの出力用リレーユニットの内部配線を示す説明図である。
【図６】本発明の一実施の形態に係るリレーユニットを使用した制御盤を収納した制御盤ボックスを示す図であり、（ａ）は正面図を示し、（ｂ）は側面図を示す。
【図７】図６（ａ）の制御盤ボックスの操作部の拡大図である。
【図８】本発明の一実施の形態に係るリレーユニットを使用した制御盤の配線図である。
【図９】図８の制御盤を示す盤内部品配置図である。
【図１０】本発明の一実施の形態に係るリレーユニットの変形例を示す側面図である。
【図１１】本発明の一実施の形態に係るリレーユニットの変形例を示す平面図である。
【図１２】従来型のリレーを使用した制御盤の配線図である。
【図１３】図１２の制御盤を示す盤内部品配置図である。
【発明を実施するための形態】
【００２６】
以下、図面に基づき本発明の一実施の形態を説明する。  
各図は、本発明の一実施の形態を示している。  
図１および図２は、ａ接点およびｂ接点入出力用のリレーユニット１を示している。リレーユニット１は、絶縁性であって細長い略直方体形状をなしたリレーユニット本体１０を有しており、その上面の一端側に盤内配線用端子部１１０が、他端側に盤外配線用端子部１２０が分離して配置されている。盤内配線用端子部１１０は、４つの端子１１１〜１１４からなり、盤外配線用端子部１２０は２つの端子１２１，１２２から構成されている。盤内配線用端子部１１０および盤外配線用端子部１２０は、例えば、板状の導体にリレーの内部配線を接続するための部位を設け、タップを施してビスにより外部の配線を接続できる構造としたものをリレーユニット本体１０に圧入して固定する。
【００２７】
盤外配線用端子部１１０と盤内配線用端子部１２０との間となる上面の中央部分には、リレーの形成されたリレー部２０がリレーユニット本体１０と一体に成型されている。リレー部２０となる絶縁体には貫通した金属部（図示せず）が設けられており、下面に至っている金属部は出力電極となっている。上面にはリレーが形成されている。
【００２８】
盤外配線用端子１１０および盤内配線用端子１２０は、導体にタップを施して、ビスによって外部の配線を接続できるようになっている。この導体はリレー部の出力電極と接続されている。
【００２９】
また盤外配線用端子部１２０とリレー部２０との間には、盤外配線用端子部１２０の近傍に、端子銘板を載せる端子銘板部３０として端子銘板スペース３１が設けてある。端子銘板スペース３１はその上下に案内壁があり、当該案内壁の上端は内側にわずかに突出しており、端子銘板が外れるのを防止する端子銘板止め３２として機能するようになっている。なお、端子銘板スペース３１の左右は開放されており、端子銘板は、横から端子銘板スペース３１内にスライドさせるようにして取り付けることができる。
【００３０】
盤外配線用端子部１２０のある箇所は、リレー部２０が形成されているリレーユニット本体１０の上面より下方に段差が付けてあり、奥手および左右両側が壁で覆われるようになっている。端子カバー４０は、図中の端子カバー止め４１に係合し、盤外配線用端子部１２０および端子銘板部３０を覆うように取り付けられる。盤外配線用端子部１２０の２つの端子である盤外配線用第１端子１２１および盤外配線用第２端子１２２は、前記の段差の付けられた部分に配置されている。
【００３１】
盤内配線用端子部１１０の端部寄りには、盤内配線用第１端子１１１および盤内配線用第２端子１１２が配置されている。盤内配線用端子部１１０のリレー部２０寄りには、盤内配線用第３端子１１３および盤内配線用第４端子１１４が配置されている。これら４つの端子１１１〜１１４は、リレーユニット本体１０の上面より下方に端部に向かって２段の段差が設けてあり、上段には盤内配線用第３端子１１３および盤内配線用第４端子１１４が配置され、下段には盤内配線用第１端子１１１および盤内配線用第２端子１１２が配置されている。盤内配線用端子部１１０は、盤外配線用端子部１２０と同様に端子カバー止め４１に端子カバー４０を取り付けることで、カバーされるようになっている。
【００３２】
図３、図４および図５に示すように、リレーユニット１は、入力用リレーユニット１Ａおよび出力用リレーユニット１Ｂ共に盤内配線用端子部１１０には、端子２個ずつを前記のように２段に分けて設けてある。図３に示すように、盤外配線用端子部１２０には、入力用リレーにあっては２個の端子を設け、出力用リレーにあってはａ接点信号およびｂ接点信号のための端子を２個設ける。また、図４に示すように、リレーユニット２は、ｃ接点出力用のものであり、盤外配線用端子部１２０には３個の端子１２１〜１２３を設ける。すなわち、盤外配線用第１端子１２１、盤外配線用第２端子１２２および盤外配線用第３端子１２３を設ける。
【００３３】
図５の（ａ）は、図３に示したリレーユニット１を用いた入力用リレーユニット１Ａの配線図である。図中にＲで示したものは、リレーの動作コイルを示している。盤内配線用第１端子１１１と盤内配線用第２端子１１２にはリレーのａ接点が接続されている。盤内配線用第３端子１１３は盤外配線用第１端子１２１に接続されている。残った盤内配線用第４端子１１４および盤外配線用第２端子１２２は、リレーの動作用コイルＲに接続されている。
【００３４】
盤外配線用第１端子１２１に接続した盤内配線用第３端子１１３と、リレーの動作用コイルＲに接続した盤内配線用第４端子１１４との２個の端子は、リレー動作条件端子である。盤外配線用第１端子１２１と盤外配線用第２端子１２２は、入力信号端子である。リレー動作条件端子は、入力信号が接点信号のとき、制御盤内の供給電圧を接続してリレーを動作させて入力信号を得るものである。入力信号が電圧信号のときは、リレー動作条件端子は短絡して入力信号を得る。
【００３５】
図５の（ｂ）は、図３に示したリレーユニット１を用いた出力用リレーユニット１Ｂの配線図である。出力用リレーユニット１Ｂにはａ接点出力とｂ接点出力とがあるが、ａ接点出力とｂ接点出力とではリレーが常開接点であるか常閉接点であるかの相違だけであるので、ａ接点出力のものを例に挙げて説明する。盤内配線用第１端子１１１と盤内配線用第２端子１１２にはリレーの動作用コイルＲが接続されている。盤内配線用第３端子１１３は盤外配線用第１端子１２１に接続されている。残った盤内配線用第４端子１１４には出力信号用リレーの接点の一方が接続されている。出力信号用リレーの接点のもう一方は、盤外配線用第２端子１２２に接続されている。
【００３６】
盤外配線用第１端子１２１に接続した盤内配線用第３端子１１３と、出力信号用リレーの接点に接続した盤内配線用第４端子１１４との２個の端子は、出力信号条件端子である。これら出力信号条件端子は、出力信号が接点信号のときはこれら２個の盤内配線用第３端子１１３と盤内配線用第４端子１１４とを短絡する。出力信号を電圧信号とするときは、必要な電圧を接続する。
【００３７】
図５の（ｂ）に例示したものは、盤内配線用第１端子１１１と盤内配線用第２端子１１２をリレー動作信号入力端子としている。また、盤内配線用第３端子１１３および盤内配線用第４端子１１４は出力信号条件端子とし、盤外配線用第１端子１２１および盤外配線用第２端子１２２は盤外出力信号端子としている。
【００３８】
図５の（ｃ）は、図４に示したリレーユニット２を用いた出力用リレーユニット２Ａの配線図である。図示したものは、ｃ接点出力のものである。ｃ接点出力用リレーの場合は、盤外配線用端子部１２０に３個の端子があるものを使用する。盤内配線用第１端子１１１と盤内配線用第２端子１１２には、リレーの動作用コイルＲが接続されている。盤内配線用第３端子１１３は盤外配線用第１端子１２１に接続されている。残った盤内配線用第４端子１１４には、出力用リレーのｃ接点が接続されている。盤外配線用第２端子１２２にはａ接点とｂ接点の何れか一方が接続されており、盤外配線用第３端子１２３には、ａ接点とｂ接点のうち残ったものが接続されている。
【００３９】
盤外配線用第１端子１２１に接続した盤内配線用第３端子１１３と、出力用リレーのｃ接点に接続した盤内配線用第４端子１１４との２個の端子は、出力信号条件端子である。これら出力信号条件端子は、出力信号が接点信号のときはこれら２個の盤内配線用第３端子１１３と盤内配線用第４端子１１４とを短絡する。出力信号を電圧信号とするときは、必要な電圧を接続する。
【００４０】
図５の（ｃ）に例示したものは、盤内配線用第１端子１１１と盤内配線用第２端子１１２をリレー動作信号入力端子としている。また、盤内配線用第３端子１１３および盤内配線用第４端子１１４は出力信号条件端子としている。また、盤外配線用第１端子１２１、盤外配線用第２端子１２２および盤外配線用第３端子１２３は外部出力信号端子とし、盤外配線用第３端子１２３はａ接点出力、盤外配線用第２端子１２２はｂ接点出力、盤外配線用第１端子１２１は出力コモンとしている。
【００４１】
このように配線されたリレーユニット１，２のリレーユニット本体１０の下面側には、所定の規格レールに係合するための規格レール止めピン１３０および該規格レール止めピン１３０のピン操作部１３１を有する下面側カバーが設けられている。
【００４２】
以上、説明してきたリレーユニット１，２は、リレー部２０が盤内配線用端子部１１０および盤外配線用端子部１２０と一体に成型されたものであるが、図１０および図１１に示すような構成としても良い。なお、図１および図２に示したリレーユニット１，２と同種の部位には同一符号を付し重複した説明を省略する。
【００４３】
図１０および図１１に示したリレーユニット３は、リレー部２０、盤内配線用端子部１１０および盤外配線用端子部１２０が一体に成型されたリレーユニット本体１０を有する点は図１および図２に示したリレーユニット１，２と同じであるが、リレーはリレー部２０に形成されているのではなく、別体のリレー２１をリレー部２０に固定してリレーユニット本体１０と一体とした点がリレーユニット１，２とは異なっている。リレー２１は、市販のリレーで良く、接着剤Ａによってリレー部２０に固着されている。また、ピンによる固定をしても良い。このようなリレーユニット３の内部配線は、リレーユニット１，２について説明した配線と同じであるので説明を省略する。
【００４４】
図６は、本発明に係るリレーユニット１，２，３を使用した制御盤を収納した制御盤ボックス２００を示し、（ａ）はその正面図であり、（ｂ）は側面図である。図７は、制御盤ボックス２００の操作部の拡大図である。図８は、本発明に係るリレーユニット１，２，３を使用した制御盤の配線図である。図９は、図８の制御盤を示す盤内部品配置図である。
【００４５】
図９に示すように、制御盤内には、前記したリレーユニット１を用いた入力用リレーユニット１Ａが８つ使用されており、リレーユニット１を用いた出力用リレーユニット１Ｂが７つ使用されており、リレーユニット２を用いた出力用リレーユニット２Ａが２つ使用されている。これにより、制御盤の配線数は７５本である。但し、リレー端子間の短絡バーの１１本は数に入れていない。また、制御盤の寸法は４００×６００ｍｍとすることができた。
【００４６】
図１２は、図８に相当する制御盤を従来型のリレーを用いて作製したときの配線図である。また、図１３は、図１２の制御盤を示す盤内部品配置図である。従来型のリレーを用いた場合の配線数は、１０５本である。また、制御盤の寸法は４００×７００ｍｍとなった。
【００４７】
本発明に係るリレーユニット１，２，３を用いた場合の制御盤と、従来のリレーを用いた場合の制御盤とを比較すると、本発明に係るリレーユニット１，２，３を用いた場合の制御盤は、配線数において約３０％の削減ができた。これにより、配線工数の削減ができ、それに伴って配線工程に係る時間も削減することができた。また、制御盤の寸法も小さくすることができ、制御盤ボックスの扉面積で約１５％の削減をすることができた。なお、配線ダクト、規格レールを除く部品点数は同じである。
【産業上の利用可能性】
【００４８】
本発明に係るリレーユニットは、リレーを使用する技術分野であれば、特に制限されることなく利用することができる。
【符号の説明】
【００４９】
Ａ…接着剤
Ｒ…リレーの動作コイル
１，２，３…リレーユニット
１Ａ…入力用リレーユニット
１Ｂ…出力用リレーユニット
２Ａ…出力用リレーユニット
１０…リレーユニット本体
２０…リレー部
２１…リレー
３０…端子銘板部
３１…端子銘板スペース
３２…端子銘板止め
４０…端子カバー
４１…端子カバー止め
１１０…盤内配線用端子部
１１１…盤内配線用第１端子
１１２…盤内配線用第２端子
１１３…盤内配線用第３端子
１１４…盤内配線用第４端子
１２０…盤外配線用端子部
１２１…盤外配線用第１端子
１２２…盤外配線用第２端子
１２３…盤外配線用第３端子
１３０…規格レール止めピン
１３１…ピン操作部
【図１】
2011150988.tif 000003
【図２】
2011150988.tif 000004
【図３】
2011150988.tif 000005
【図４】
2011150988.tif 000006
【図５】
2011150988.tif 000007
【図６】
2011150988.tif 000008
【図７】
2011150988.tif 000009
【図８】
2011150988.tif 000010
【図９】
2011150988.tif 000011
【図１０】
2011150988.tif 000012
【図１１】
2011150988.tif 000013
【図１２】
2011150988.tif 000014
【図１３】
2011150988.tif 000015